(57)【特許請求の範囲】
【請求項１】
パネルおよびネック部を有する漏斗状のファンネルからなる外囲器を有し、前記ファンネルのネック部内に、カソードおよびこのカソードからの電子ビームの放出を制御しかつ放出された電子ビームを加速集束する複数個の電極を有する電子銃と、複数個の端子部およびこの各端子部間に設けられた抵抗部からなる抵抗回路を有し、上記抵抗回路は、端子部の一つに供給される高電圧を上記抵抗部により分割して他の端子部から上記電子銃の選択された少なくとも１個の電極に所定の電圧を供給するものであるカラー受像管において、
上記抵抗回路は直列に接続された抵抗部と並列に接続された抵抗部とを有する構造に形成されていることを特徴とするカラー受像管。
【請求項２】
並列に接続された一方の抵抗部の中間に端子部が設けられていることを特徴とする請求項１記載のカラー受像管。
【発明の詳細な説明】
【０００１】
【産業上の利用分野】
この発明は、カラー受像管に係り、特に電子銃の選択された電極に抵抗器により分割された電圧が供給されるカラー受像管に関する。
【０００２】
【従来の技術】
一般にカラー受像管は、パネルおよびファンネルからなる外囲器を有し、そのファンネルのネック内に封止された電子銃から放出される３電子ビームを偏向装置の発生する水平、垂直偏向磁界により偏向し、シャドウマスクを介して、パネルの内面に形成された蛍光体スクリーンを水平、垂直走査することにより、カラー画像を表示する構造に形成されている。このようなカラー受像管において、電子銃を同一水平面上を通る一列配置の３電子ビームを放出するインライン型電子銃とし、この３電子ビームを偏向装置の発生する図４（ａ）に示すピンクッション形水平偏向磁界１Ｈ  、および同（ｂ）に示すバレル形垂直偏向磁界１Ｖ  により偏向することにより、回路的な補正手段を要することなく、３電子ビームを蛍光体スクリーン上に集中することができるセルフコンバーゼンス・インライン型カラー受像管が現在カラー受像管の主流となっている。
【０００３】
しかしこのセルフコンバーゼンス・インライン型カラー受像管は、水平偏向磁界１Ｈ  をピンクッション形、垂直偏向磁界１Ｖ  をバレル形とする偏向磁界の非斉一性のために、図４（ａ）および（ｂ）に電子ビーム２Ｂ  について示したように、３電子ビーム２Ｂ  ，２Ｇ  ，２Ｒ  がそれぞれ水平方向（Ｘ軸方向）の集束が弱められ、逆に垂直方向（Ｙ軸方向）の集束が強められる偏向歪を受ける。そのため、図５に示すように、画面中央部のビームスポット３ｃ  がほぼ真円となるのに対し、画面周辺部のビームスポット３ｐ  は、高輝度のコア部４のほかに、垂直方向に延びた低輝度のハロー部５を伴う形状となり、画面周辺部の解像度が劣化するという問題がある。
【０００４】
この偏向歪による解像度の劣化を改善する手段の一つとして、特開昭６４−３８９４７号公報には、図６に示す電子銃が示されている。この電子銃は、水平方向に一列配置された３個のカソードＫＢ  ，ＫＧ  ，ＫＲ  （ＫＧ  のみ図示）、これらカソードＫＢ  ，ＫＧ  ，ＫＲ  を各別に加熱する３個のヒーター（図示せず）、上記カソードＫＢ  ，ＫＧ  ，ＫＲ  から順次蛍光体スクリーン方向に配置された第１乃至第４電極Ｇ１  〜Ｇ４  、２分割された第１、第２の第５電極Ｇ５１，Ｇ５２、第１、第２の２個の中間電極Ｇｍ１，Ｇｍ２、第６電極Ｇ６  およびこの第６電極Ｇ６  の蛍光体スクリーン側端部に取付けられたシールドカップＣＳ  とからなる。
【０００５】
この電子銃の各電極Ｇ１  〜Ｇ４  ，Ｇ５１，Ｇ５２，Ｇｍ１，Ｇｍ２、Ｇ６  は、一体構造に形成され、その各電極Ｇ１  〜Ｇ４  ，Ｇ５１，Ｇ５２，Ｇｍ１，Ｇｍ２、Ｇ６  およびシールドカップＣＳ  には、一列配置の３個のカソードＫＢ  ，ＫＧ  ，ＫＲ  に対応して、３個の円形電子ビーム通過孔が形成されている。特に第２の第５電極Ｇ５２の第１の第５電極Ｇ５１側の電子ビーム通過孔、第２の第５電極Ｇ５２の第１の中間電極Ｇｍ１側の電子ビーム通過孔および第６電極Ｇ６  の第２の中間電極Ｇｍ２側の電子ビーム通過孔は、それぞれ非円形状に形成されている。
【０００６】
この電子銃では、カソードＫＢ  ，ＫＧ  ，ＫＲ  および第１、第２電極Ｇ１  ，Ｇ２  により、各カソードＫＢ  ，ＫＧ  ，ＫＲ  からの電子ビームの放出を制御する三極部が形成され、第３、第４電極Ｇ３  ，Ｇ４  、第１、第２の第５電極Ｇ５１，Ｇ５２、第１、第２の中間電極Ｇｍ１，Ｇｍ２および第６電極Ｇ６  により、三極部からの電子ビームを加速、集束する電子レンズ部が形成される。特にその第１、第２の第５電極Ｇ５１，Ｇ５２、第１、第２の中間電極Ｇｍ１，Ｇｍ２および第６電極Ｇ６  により、電子ビームを最終的に蛍光体スクリーン上に集束する主レンズ部が形成される。この主レンズ部は、第２の第５電極Ｇ５２と第６電極Ｇ６  との間に第１、第２の２個の中間電極Ｇｍ１，Ｇｍ２が配置されているため、拡張レンズとなり、かつ第２の第５電極Ｇ５２の第１の第５電極Ｇ５１側、第２の第５電極Ｇ５２の第１の中間電極Ｇｍ１側および第６電極Ｇ６  の第２の中間電極Ｇｍ２側の電子ビーム通過孔が非円形状であることから、第１、第２の第５電極Ｇ５１，Ｇ５２間、第２の第５電極Ｇ５２と第１の中間電極Ｇｍ１との間および第２の中間電極Ｇｍ２と第６電極Ｇ６  との間に、それぞれ電子ビームに対して水平、垂直方向の作用が異なる第１、第２、第３の四極子レンズが形成される。
【０００７】
この主レンズ部の第２の第５電極Ｇ５２には、ネック端部のステムに植設されたステムピンを介して所定の電圧が印加され、第６電極Ｇ６  （最終加速電極）には、ファンネルに設けられた陽極端子に供給される陽極高電圧が印加されるが、第１の第５電極Ｇ５１および第１、第２の中間電極Ｇｍ１，Ｇｍ２には、それぞれ電子銃に沿ってネック内に配置された抵抗器７により、その一端部の高電圧供給端子部Ａ０  に供給される陽極高電圧を分割して、中間端子部Ａ３  ，Ａ２  ，Ａ１  からそれぞれその陽極高電圧の２８％、４０％，６５％の電圧が供給される。
【０００８】
このような電子銃では、電子ビームが上記主レンズ部に形成される緩やかな電界により集束されるため、画面上のビームスポットを小さくすることができる。しかも第２の第５電極Ｇ５２に偏向装置の発生する偏向磁界に同期して変化するダイナミック・フォーカス電圧を印加することにより、第１、第２の第５電極Ｇ５１，Ｇ５２間に形成される第１の四極子レンズおよび第２の第５電極Ｇ５２と第１の中間電極Ｇｍ１との間に形成される第２の四極子レンズの強度が変化し、画面周辺部のビームスポットの形状を良好にすることができる。
【０００９】
しかし一般に四極子レンズは、わずかな電圧変化によりレンズ作用が大きく変化するため、上記電子銃のように四極子レンズを形成する電極に抵抗器７により分割された電圧を印加する場合は、抵抗器７の抵抗分割比が設計値に対して大きくずれないようにする必要があり、抵抗分割比が設計値に対してずれている場合は、修正する必要がある。
【００１０】
この抵抗分割比の修正は、たとえば上記のように抵抗分割比の設計値が２８％、４０％、６５％である抵抗器７が、図７（ａ）に示すように、一端部の高電圧供給端子部Ａ０と中間端子部Ａ１との間の抵抗部９ａの抵抗値Ｒ１が３５０ＭΩ、中間端子部Ａ１，Ａ２間の抵抗部９ｂの抵抗値Ｒ２が２５０ＭΩ、中間端子部Ａ２，Ａ３間の抵抗部９ｃの抵抗値Ｒ３が１００ＭΩ、中間端子部Ａ３と他端部のアース接続端子部Ａ４との間の抵抗部９ｄの抵抗値Ｒ４が３００ＭΩとなり、抵抗分割比が中間端子部Ａ３，Ａ２，Ａ１でそれぞれ３０％、４０％、６５％となった場合、その中間端子部Ａ３での抵抗分割比を設計値の２８％とするためには、同（ｂ）に示すように、中間端子部Ａ３と他端部のアース接続端子部Ａ４との間の抵抗部９ｄの抵抗値Ｒ４が２７２ＭΩになるように抵抗部９ｄをトリミングしなければならない。しかし上記のように抵抗部９ｄをトリミングすると、中間端子部Ａ２，Ａ１での抵抗分割比がそれぞれ３８％、６４％となり、中間端子部Ａ２，Ａ１における抵抗分割比の変化量ΔＡ２，ΔＡ１が、それぞれ
ΔＡ２＝２％
ΔＡ１＝１％
変化する。したがって上記のようにトリミングすると、さらに中間端子部Ａ２，Ａ１での抵抗分割比を元の抵抗分割比になるように修正する作業が必要となり、さらに一端部の端子部Ａ０と中間端子部Ａ１との間の抵抗部９ａおよび中間端子部Ａ１，Ａ２間の抵抗部９ｂをトリミングして、中間端子部Ａ２，Ａ１での抵抗分割比を設計値に近づける修正がおこなわれる。
【００１１】
つまり、上記のように正確な抵抗分割比が要求される抵抗器７については、一端子部における抵抗分割比を修正するために一部抵抗部の抵抗値を変化させると、他の端子部における抵抗分割比が変化する。そのため、その他の端子部における抵抗分割比を設計値に近づけるために、さらに他の抵抗部の抵抗値を変化させる必要が生じ、各端子部における抵抗分割比を設計値に近づけることがむつかしく、かつその調整作業がいちじるしく繁雑となる。
【００１２】
【発明が解決しようとする課題】
上記のように、セルフコンバーゼンス・インライン型カラー受像管の偏向歪による解像度の劣化を改善する手段として、電子銃を水平方向に一列配置された３個のカソード、これらカソードを各別に加熱する３個のヒーター、カソードから順次蛍光体スクリーン方向に配置された第１乃至第４電極、２分割された第１、第２の第５電極、第１、第２の２個の中間電極、第６電極およびこの第６電極の蛍光体スクリーン側端部に取付けられたシールドカップで構成して、その第１、第２の第５電極、第１、第２の中間電極および第６電極により主レンズ部を形成し、この主レンズ部に第１、第２の第５電極間、第２の第５電極と第１の中間電極との間および第２の中間電極と第６電極との間に、それぞれ第１、第２、第３の四極子レンズを形成するようにし、かつ電子銃に沿って配置された抵抗器により、第６電極に印加される陽極高電圧を分割して、第１の第５電極および第１、第２の中間電極に所定の電圧を供給するようにしたものがある。
【００１３】
しかし一般に四極子レンズは、わずかな電圧変化によりレンズ作用が大きく変化するため、上記電子銃のように四極子レンズを形成する電極に抵抗器により分割された電圧を供給する場合は、抵抗器の抵抗分割比を設計値に対して大きくずれないようにする必要があり、抵抗分割比が設計値に対して許容範囲を越えているときは、その抵抗分割比を修正する必要がある。
【００１４】
しかし上記抵抗分割比の修正は、たとえばその一端子部における抵抗分割比を修正するために一部抵抗部の抵抗値を変化させると、他の端子部における抵抗分割比が変化し、さらに他の端子部における抵抗分割比を設計値に近づけるために、他の抵抗部の抵抗値を変化させる必要が生じ、各端子部における抵抗分割比を設計値に近づけることがむつかしく、かつその作業がいちじるしく繁雑になるという問題がある。
【００１５】
この発明は、上記問題点を解決するためになされたものであり、電子銃の複数個の電極から選択された少なくとも１個の電極に分割された電圧を供給する抵抗器の抵抗分割比を簡単に調整できる構造として、特性の良好なカラー受像管が容易に得られるようにすることを目的とする。
【００１６】
【課題を解決するための手段】
パネルおよびネック部を有する漏斗状のファンネルからなる外囲器を有し、ファンネルのネック部内に、カソードおよびこのカソードからの電子ビームの放出を制御しかつ放出された電子ビームを加速集束する複数個の電極を有する電子銃と、複数個の端子部およびこの各端子部間に設けられた抵抗部からなる抵抗回路を有し、抵抗回路は、端子部の一つに供給される高電圧を抵抗部により分割して他の端子部から電子銃の選択された少なくとも１個の電極に所定の電圧を供給するものであるカラー受像管において、抵抗回路を、直列に接続された抵抗部と並列に接続された抵抗部とを有する構造に形成した。
【００１７】
また、並列に接続された一方の抵抗部の中間に端子部の設けられた構造に形成した。
【００１８】
【作用】
上記のように構成すると、並列の抵抗部の抵抗値を調整して、この並列の抵抗部の形成されている端子部での抵抗分割比を設計値に近づけても、他の端子部での抵抗分割比の変化を従来の直列の抵抗部のみからなる抵抗器よりも小さくすることができる。
【００１９】
【実施例】
以下、図面を参照してこの発明を実施例に基づいて説明する。
【００２０】
図１にその一実施例であるカラー受像管を示す。このカラー受像管は、パネル２０および漏斗状のファンネル２１からなる外囲器を有し、そのパネル２０の内面に、青、緑、赤に発光するストライプ状の３色蛍光体層からなる蛍光体スクリーン２２が形成され、この蛍光体スクリーン２２に対向して、その内側にシャドウマスク２３が配置されている。一方、ファンネル２１のネック２４内に、同一水平面上を通る一列配置の３電子ビーム２５Ｂ  ，２５Ｇ  ，２５Ｒ  （２５Ｇ  のみ図示）を放出する電子銃２６が配置され、さらにこの電子銃２６に沿って抵抗器２７が配置されている。そして、上記電子銃２６から放出される３電子ビーム２５Ｂ  ，２５Ｇ  ，２５Ｒ  をファンネル２１の外側に装着された偏向装置２９の発生する水平、垂直偏向磁界により偏向して、上記蛍光体スクリーン２２を水平、垂直走査することにより、カラー画像を表示する構造に形成されている。
【００２１】
上記電子銃２６は、水平方向（Ｘ軸方向）に一列配置された３個のカソードＫＢ  ，ＫＧ  ，ＫＲ  （ＫＧ  のみ図示）、これらカソードＫＢ  ，ＫＧ  ，ＫＲ  を各別に加熱する３個のヒーター（図示せず）、上記カソードＫＢ  ，ＫＧ  ，ＫＲ  から順次蛍光体スクリーン２２方向に配置された第１乃至第４電極Ｇ１  〜Ｇ４  、２分割された第１、第２の第５電極Ｇ５１，Ｇ５２、第１、第２の２個の中間電極Ｇｍ１，Ｇｍ２、第６電極Ｇ６  およびこの第６電極Ｇ６  の蛍光体スクリーン２２端部に取付けられたシールドカップＣＳ  からなり、これらカソードＫＢ  ，ＫＧ  ，ＫＲ  、ヒーターおよび各電極Ｇ１  〜Ｇ４  ，Ｇ５１，Ｇ５２，Ｇｍ１，Ｇｍ２，Ｇ６  が一対の絶縁支持体（図示せず）により一体に固定された構造に形成されている。
【００２２】
この電子銃２６の各電極Ｇ１  〜Ｇ４  ，Ｇ５１，Ｇ５２，Ｇｍ１，Ｇｍ２，Ｇ６  は、一体構造に形成され、これら各電極Ｇ１  〜Ｇ４  ，Ｇ５１，Ｇ５２，Ｇｍ１，Ｇｍ２，Ｇ６  およびシールドカップＣＳ  には、一列配置の３個のカソードＫＢ  ，ＫＧ  ，ＫＲ  に対応して、３個の円形電子ビーム通過孔が形成されている。特に第２の第５電極Ｇ５２の第１の第５電極Ｇ５１側の電子ビーム通過孔、第２の第５電極Ｇ５２の第１の中間電極Ｇｍ１側の電子ビーム通過孔および第６電極Ｇ６  の第２の中間電極Ｇｍ２側の電子ビーム通過孔は、非円形状に形成されている。
【００２３】
この電子銃２６では、カソードＫＢ  ，ＫＧ  ，ＫＲ  および第１、第２電極Ｇ１  ，Ｇ２  により、各カソードＫＢ  ，ＫＧ  ，ＫＲ  からの電子ビームの放出を制御する三極部が形成され、第３、第４電極Ｇ３  ，Ｇ４  、第１、第２の第５電極Ｇ５１，Ｇ５２、第１、第２の中間電極Ｇｍ１，Ｇｍ２および第６電極Ｇ６  により、三極部からの電子ビームを加速、集束する電子レンズ部が形成される。特にその第１、第２の第５電極Ｇ５１，Ｇ５２、第１、第２の中間電極Ｇｍ１，Ｇｍ２および第６電極Ｇ６  により、最終的に電子ビームを蛍光体スクリーン２２上に集束する主レンズ部が形成される。この主レンズ部は、第２の第５電極Ｇ５２と第６電極Ｇ６  との間に、第１、第２の中間電極Ｇｍ１，Ｇｍ２が配置されているため、拡張レンズとなり、かつ第２の第５電極Ｇ５２の第１の第５電極Ｇ５１側、第２の第５電極Ｇ５２の第１の中間電極Ｇｍ１側および第６電極Ｇ６  の第２の中間電極Ｇｍ２側の電子ビーム通過孔を非円形状としたことにより、２個の第５電極Ｇ５１，Ｇ５２間、第２の第５電極Ｇ５２と第１の中間電極Ｇｍ１との間および第２の中間電極Ｇｍ２と第６電極Ｇ６  との間に、それぞれ電子ビームに対して水平、垂直方向の作用が異なる第１、第２、第３の四極子レンズが形成される。
【００２４】
その第２の第５電極Ｇ５２には、ネック端部のステム３１に植設されたステムピン３２を介して、偏向装置２９の発生する偏向磁界に同期して変化するダイナミック・フォーカス電圧が印加され、第６電極Ｇ６  （最終加速電極）には、ファンネル２１の径大部３３からネック２４の隣接部内面にかけて塗布形成された内面導電膜３４、シールドカップＣＳ  に取付けられて上記内面導電膜３４に圧接するバルブスペーサ３５などを介して、ファンネル２１の径大部３３に設けられた陽極端子３６（図１参照）に供給される陽極高電圧が印加されるが、第１の第５電極Ｇ５１（集束電極）および第１、第２の中間電極Ｇｍ１，Ｇｍ２には、それぞれ電子銃２６に沿ってネツク内に配置された抵抗器２７により、陽極高電圧を分割してその２８％、４０％，６５％の電圧が供給される。
【００２５】
その抵抗器２７は、絶縁基板に抵抗回路が形成されたものであり、その抵抗回路は、図２に示すように、絶縁基板の一端部に設けられた陽極高電圧の供給される高電圧供給端子部Ａ０  、他端部に設けられたアース接続端子部Ａ４  およびこれら高電圧供給端子部Ａ０  とアース接続端子部Ａ４  との間に設けられた３個の中間端子部Ａ１  ，Ａ２  ，Ａ３  と、これら端子部Ａ０  ，Ａ１  ，Ａ２  ，Ａ３  ，Ａ４  間に設けられた高抵抗の抵抗部とからなり、その中間端子部Ａ３  が第１の第５電極に、中間端子部Ａ２  が第１の中間電極Ｇｍ１に、中間端子部Ａ１  が第２の中間電極Ｇｍ２に電圧を供給するための端子部となっている。特にこの例の抵抗器２７では、抵抗回路が、直列の抵抗部と並列の抵抗部とから構成されている。
【００２６】
すなわち、図２に示したように、高電圧供給端子部Ａ０  と中間端子部Ａ１  との間の抵抗部３８ａ  （抵抗値Ｒ１  ）と中間端子部Ａ１  ，Ａ２  間の抵抗部３８ｂ  （抵抗値Ｒ２  ）とは直列に接続され、中間端子部Ａ２  とアース接続端子部Ａ４  との間は、これら中間端子部Ａ２  とアース接続端子部Ａ４  とを直接接続する抵抗部３８ｃ  （抵抗値Ｒ３  ）と、中間端子部Ａ３  を中間に挟んで直列接続された中間端子部Ａ２  ，Ａ３  間の抵抗部３８ｄ  （抵抗値Ｒ４  ）および中間端子部Ａ３  とアース接続端子部Ａ４  との間の抵抗部３８ｅ  （抵抗値Ｒ５  ）とが並列に接続されるものとなっている。この場合、中間端子部Ａ２  とアース接続端子部Ａ４  とを直接接続する抵抗部３８ｃ  の抵抗値Ｒ３  と、並列接続される中間端子部Ａ２  ，Ａ３  間の抵抗部３８ｄ  および中間端子部Ａ３  とアース接続端子部Ａ４  との間の抵抗部３８ｅ  の抵抗値Ｒ４  ，Ｒ５  とを、
Ｒ３  ＜＜Ｒ４  ＋Ｒ５
の関係にすることが好ましい。
【００２７】
ところで、上記抵抗器２７のように３個の中間端子部Ａ１  ，Ａ２  ，Ａ３  のうち、抵抗回路３８の構造上、比較的設計公差を小さくすることが可能なアース接続端子部Ａ４  側の抵抗部を並列接続し、その並列接続された一方の抵抗部の中間に端子部Ａ３  を設けると、その中間端子部Ａ３  における抵抗分割比の設計値からのずれを修正したとき、他の中間端子部Ａ１  ，Ａ２  における抵抗分割比の変化を少なくすることができる。特に上記のように中間端子部Ａ２  とアース接続端子部Ａ４  とを直接接続する抵抗部３８ｃ  の抵抗値Ｒ３  と、並列接続される中間端子部Ａ２  ，Ａ３  間および中間端子部Ａ３  とアース接続端子部Ａ４  との間の抵抗部３８ｄ  および抵抗部３８ｅ  の抵抗値Ｒ４  ，Ｒ５  とを、
Ｒ３  ＜＜Ｒ４  ＋Ｒ５
の関係にすると、他の中間端子部Ａ１  ，Ａ２  における抵抗分割比の変化を大幅に少なくすることができる。
【００２８】
たとえば図３（ａ）に示すように、陽極高電圧を分割して中間端子部Ａ３  ，Ａ２  ，Ａ１  から第１の第５電極および第１、第２の中間電極にそれぞれ陽極高電圧の２８％、４０％、６５％の電圧を供給する各抵抗部３８ａ  ，３８ｂ  ，３８ｃ  ，３８ｄ  ，３８ｅ  の抵抗値Ｒ１  ，Ｒ２  、Ｒ３  ，Ｒ４  ，Ｒ５  が、それぞれ
Ｒ１  ＝３５０ＭΩ
Ｒ２  ＝２５０ＭΩ
Ｒ３  ＝５００ＭΩ
Ｒ４  ＝５００ＭΩ
Ｒ５  ＝１５００ＭΩ
となり、各中間端子部Ａ３  ，Ａ２  ，Ａ１  における抵抗分割比が３０％、４０％、６５％となった場合、その中間端子部Ａ３  における抵抗分割比３０％を２８％に修正するために、抵抗部３８ｅ  をトリミングして、同（ｂ）に示すように、その抵抗部３８ｅ  の抵抗値Ｒ５  を、
Ｒ５  ＝１２３９ＭΩ
にしたとすると、このとき、中間端子部Ａ２  における抵抗分割比は３９．３％、中間端子部Ａ１  における抵抗分割比は６４．６％となり、その抵抗分割比の変化量ΔＡ２  ，ΔＡ１  は、それぞれ
ΔＡ２ｖ＝０．７％
ΔＡ１ｖ＝０．４％
と、従来の抵抗器の図７に示した場合の
ΔＡ２  ＝２％
ΔＡ１  ＝１％
にくらべて、大幅に小さくすることができる。
【００２９】
したがって上記のように抵抗器２７を構成することにより、抵抗分割比の修正の回数を減らすことができ、短時間に抵抗分割比を設計公差内に納めることができる。またそれにより、抵抗器の製造コストを低減することができる。
【００３０】
なお、上記実施例では、２分割された第１、第２の第５電極および２個の中間電極を有する電子銃について、その第１の第５電極（集束電極）および２個の中間電極に、抵抗器により分割された電圧を供給する場合について説明したが、この発明は、第５電極を２分割せず、１個の集束電極と１個または３個以上の中間電極を有する電子銃について、その中間電極に抵抗器により分割された電圧を供給する場合など、構成の異なる他の電子銃を有するカラー受像管にも適用可能である。
【００３１】
【発明の効果】
パネルおよびネック部を有する漏斗状のファンネルからなる外囲器を有し、ファンネルのネック部内に、カソードおよびこのカソードからの電子ビームの放出を制御しかつ放出された電子ビームを加速集束する複数個の電極を有する電子銃と、複数個の端子部およびこの各端子部間に設けられた抵抗部からなる抵抗回路を有し、抵抗回路は、端子部の一つに供給される高電圧を抵抗部により分割して他の端子部から電子銃の選択された少なくとも１個の電極に所定の電圧を供給するものであるカラー受像管において、抵抗回路を直列に接続された抵抗部と並列に接続された抵抗部とを有する構造とし、また、その並列に接続された一方の抵抗部の中間に端子部の設けられた構造とすると、その並列に接続された一方の抵抗部の抵抗値を修正して、この並列に接続された抵抗部の端子部での抵抗分割比を設計値に近づけても、他の端子部での抵抗分割比の変化を従来の直列の抵抗部のみからなる抵抗器よりも小さくすることができる。したがって上記のように抵抗器を構成することにより、抵抗分割比の修正の回数を減らすことができ、短時間に抵抗分割比を設計公差内に納めることができる。またそれにより、抵抗器の製造コストを低減することができる。
【図面の簡単な説明】
【図１】図１（ａ）はこの発明の一実施例であるカラー受像管の構成を示す図、図１（ｂ）はその電子銃と抵抗器との関係を示す図である。
【図２】上記カラー受像管の抵抗器の構成を示す図である。
【図３】図３（ａ）および（ｂ）はそれぞれ上記抵抗器の抵抗分割比の調整を説明するための図である。
【図４】図４（ａ）はセルフコンバーゼンス・インライン型カラー受像管に装着される偏向装置の発生するピンクッション形偏向磁界を示す図、図４（ｂ）は同じくバレル形垂直偏向磁界を示す図である。
【図５】上記セルフコンバーゼンス・インライン型カラー受像管の画面上のビームスポットの形状を示す図である。
【図６】従来のカラー受像管の電子銃と抵抗器との関係を示す図である。
【図７】図７（ａ）および（ｂ）はそれぞれ上記従来のカラー受像管の抵抗器の抵抗分割比の調整を説明するための図である。
【符号の説明】
２２…蛍光体スクリーン
２６…電子銃
２７…抵抗器
３８ａ  ，３８ｂ  ，３８ｃ  ，３８ｄ  ，３８ｅ  …抵抗部
Ａ０  …高電圧供給端子部
Ａ１  ，Ａ２  ，Ａ３  …中間端子部
Ａ４  …アース接続端子部
Ｃｓ  …シールドカップ
Ｇ１  …第１電極
Ｇ２  …第２電極
Ｇ３  …第３電極
Ｇ４  …第４電極
Ｇ５１…第１の第５電極
Ｇ５２…第２の第５電極
Ｇ６  …第６電極
Ｇｍ１…第１の中間電極
Ｇｍ２…第２の中間電極
ＫＧ  …カソード
【図１】
0003563155.tif 000002
【図２】
0003563155.tif 000003
【図３】
0003563155.tif 000004
【図４】
0003563155.tif 000005
【図５】
0003563155.tif 000006
【図６】
0003563155.tif 000007
【図７】
0003563155.tif 000008